(57)【要約】      （修正有）【課題】取付け角度を高精度に保った状態で、波長合分波フィルタを容易に精度良く取付けられる光送受信モジュールを得る。【解決手段】第1の軸線に沿って第1の光信号を送信する光送信モジュールと、第1の軸線と交差する第２の軸線に沿って第２の光信号を受信する光受信モジュールと、第1の軸線と前記第２の軸線の交差する位置に設けられ、第1の光信号を透過し、第２の光信号を反射する波長合分波フィルタと、第１の軸線上に設けられ、第１の光信号及び第２の光信号を伝送するファイバフェルール及び光ファイバとから成り、それらを収納保持する筐体２とを有する光送受信モジュールにおいて、筐体に形成された穴２０に嵌合され、波長合分波フィルタを保持するフィルタホルダ６を備え、このフィルタホルダ６は穴２０の穴部２０ｃに嵌合する切り欠き形状の位置決め部６ｃと、穴２０の穴部２０ａに圧入固定される圧入部６ａとを有する。【選択図】図７
2011112771.tif 000002
【特許請求の範囲】
【請求項１】
第1の軸線に沿って第1の光信号を送信する送信部と、
前記第1の軸線と交差する第２の軸線に沿って第２の光信号を受信する受信部と、
前記第1の軸線と前記第２の軸線の交差する位置に設けられ、前記第1の光信号を透過し、前記第２の光信号を反射する波長合分波フィルタと、
前記第１の軸線上に設けられ、前記第１の光信号及び前記第２の光信号を伝送する光信号伝送部と、
上記送信部、受信部、波長合分波フィルタ、及び光信号伝送部を収納保持する筐体とを有する光送受信モジュールにおいて、
前記筐体に形成された穴に嵌合され、前記波長合分波フィルタを保持するフィルタホルダを備え、このフィルタホルダは前記穴に嵌合する切り欠き形状の位置決め部と、前記穴に圧入固定される圧入部とを有することを特徴とする光送受信モジュール。
【請求項２】
前記フィルタホルダは、
前記波長合分波フィルタを保持するフィルタ保持部を有し、
前記フィルタ保持部を挟んで、その両端に前記位置決め部と前記圧入部とが位置することを特徴とする請求項１に記載の光送受信モジュール。
【請求項３】
前記フィルタホルダは、
前記波長合分波フィルタを保持するフィルタ保持部を有し、
前記位置決め部を挟んで、その両端に前記圧入部と前記フィルタ保持部とが位置することを特徴とする請求項１に記載の光送受信モジュール。
【請求項４】
前記フィルタホルダは、前記第２の軸線上に設けられ、前記波長合分波フィルタで反射された前記第２の光信号の近傍波長の光のみを透過する波長帯域制限フィルタを保持することを特徴とする請求項１ないし請求項３のいずれか一項に記載の光送受信モジュール。
【発明の詳細な説明】
【技術分野】
【０００１】
本発明は、一心双方向の光通信に用いる光送受信モジュールに関するものである。
【背景技術】
【０００２】
従来、この種の一心双方向光モジュールとしては、光信号送信部と、光信号受信部と、光伝送部品とを保持した筐体に光路孔を設け、この光路孔に上りと下りの光信号を合分波する光フィルタを挿入して固定するものがある（例えば、特許文献１参照）。
【先行技術文献】
【特許文献】
【０００３】
【特許文献１】特開２００９−３７１７４号
【発明の概要】
【発明が解決しようとする課題】
【０００４】
ところが、このような光送受信モジュールにおいては、光フィルタの合分波特性は自身の取付け角度に依存するため、高精度に取付けることが重要とされている。そのため、上述の特許文献１のように筐体の光路孔に光フィルタを挿入して固定するものでは、取付け角度を高精度に保った状態で光フィルタを取付けるのは困難であり、多大な時間と労力を要するという問題があった。
【０００５】
本発明はこのような問題を解決するためになされたもので、波長合分波フィルタを容易に精度良く取付けられる光送受信モジュールを得ることを目的とする。
【課題を解決するための手段】
【０００６】
本発明に係る光送受信モジュールは、第1の軸線に沿って第1の光信号を送信する送信部と、第1の軸線と交差する第2の軸線に沿って第2の光信号を受信する受信部と、第1の軸線と第2の軸線の交差する位置に設けられ、第1の光信号を透過し、第2の光信号を反射する波長合分波フィルタと、第1の軸線上に設けられ、第1の光信号及び第2の光信号を伝送する光信号伝送部とを備え、上記送信部、受信部、波長合分波フィルタ、及び光信号伝送部を収納保持する筐体とを有する光送受信モジュールにおいて、筐体に形成された穴に嵌合され、波長合分波フィルタを保持するフィルタホルダを備え、このフィルタホルダは前記穴に嵌合する切り欠き形状の位置決め部と、穴に圧入固定される圧入部とを有することを特徴とするものである。
【発明の効果】
【０００７】
本発明によれば、波長合分波フィルタを保持し、位置決め部と圧入部を有するフィルタホルダを用いることにより、フィルタホルダを筐体に対して位置決めした状態で圧入固定することが可能となり、波長合分波フィルタを容易に精度良く取付けられる光送受信モジュールを得ることができる。
【図面の簡単な説明】
【０００８】
【図１】本発明の実施の形態１に係る光送受信モジュールの構成を示す構成展開図である。
【図２】図１に示すフィルタホルダの正面図である。
【図３】図１に示すフィルタホルダの左側面図である。
【図４】図１に示すフィルタホルダの右側面図である。
【図５】図１に示すフィルタホルダの平面図である。
【図６】図１に示すフィルタホルダの底面図である。
【図７】実施の形態１に係るフィルタホルダの組み込み方法を示す図である。
【図８】図７に示すフィルタ保持部の正面図である。
【図９】図１に示すフィルタホルダの別の正面図である。
【図１０】実施の形態２に係るフィルタホルダの組み込み方法を示す図である。
【発明を実施するための形態】
【０００９】
実施の形態１．
本発明に係る光送受信モジュールは、例えば光アクセス系のＧＥ−ＰＯＮ（Ｇｉｇａｂｉｔ  Ｅｔｈｅｒｎｅｔ  Ｐａｓｓｉｖｅ  Ｏｐｔｉｃａｌ  Ｎｅｔｗｏｒｋ）システムの加入者側光回線終端装置（以下、ＯＮＵ：Ｏｐｔｉｃａｌ  Ｎｅｔｗｏｒｋ  Ｕｎｉｔ）や局側光回線終端装置（ＯＬＴ：Ｏｐｔｉｃａｌ  Ｌｉｎｅ  Ｔｅｒｍｉｎａｌ）に用いられる。本実施の形態では、特にＯＮＵに実装される光送受信モジュールについて図１ないし図９を用いて説明する。
【００１０】
図１において、光送受信モジュール１の筐体２には、上り方向のデジタルデータの電気信号を１３１０ｎｍ帯の光信号に変換し、第１の軸線１Ａに沿って送信する光送信モジュール３すなわち送信部と、第１の軸線１Ａと直交する第２の軸線１Ｂ上に設けられ、１４９０ｎｍ帯の下り方向の光信号を受信してデジタルデータの電気信号に変換する第１の光受信モジュール４すなわち受信部と、第２の軸線１Ｂと平行な第３の軸線１Ｃ上の第１の光受信モジュール４と対向する位置に設けられ、１４９０ｎｍ帯の下り方向の光信号を受信してデジタル映像用の電気信号に変換する第２の光受信モジュール５すなわち受信部が、それぞれ接着や溶接等で実装され、収納保持されている。
【００１１】
また、筐体２には第１の軸線１Ａと第２の軸線１Ｂの交差する位置及び第１の軸線１Ａと第３の軸線１Ｂの交差する位置を含むように穴２０が設けられ、この穴２０には特定の波長帯の光を反射し、その他の波長帯の光を透過する波長合分波フィルタ１１、１２を保持するフィルタホルダ６が圧入固定されている。
【００１２】
フィルタホルダ６と光送信モジュール３の間には、光送信モジュール３から送信された光信号を集光する集光レンズ７が設けられ、フィルタホルダ６を挟んで集光レンズ７と反対側の第１の軸線１Ａ上には、端面を斜め（軸心と垂直な面から８度程度）にカットしたファイバフェルール８及び光ファイバ９すなわち光伝送部が設けられている。ファイバフェルール８はフィルタホルダ６の側面に近接して固着され、その軸心にはシングルモードの光ファイバ９が保持され、コネクタ１０を介してＯＮＵ外部の光ファイバ網に接続されている。
【００１３】
上記フィルタホルダ６は、図２ないし図６に示すように、波長合分波フィルタ１１、１２を保持するフィルタ保持部６ｂの両端に、フィルタ保持部６ｂに中心がほぼ一致するように固着された円板形状の圧入部６ａと、筐体２に設けられた穴２０に沿って嵌合するＤカット等の切り欠き形状を有する円筒形の位置決め部６ｃとから構成されている。なお、圧入部６ａはフィルタ保持部６ｂに面する側の直径が小さな側面に傾斜を有する円板形状であり、圧入方向の厚さは位置決め部６ｃの円筒長さよりも薄いものとする。
【００１４】
筐体２に設けられた穴２０は、図７に示すように、入口側から順に圧入部６ａよりも直径がわずかに小さな筒状の穴部２０ａと、穴部２０ａより一回り小さな同心円状の穴部２０ｂと、フィルタホルダ６の位置決め部６ｃと嵌合するようにＤカット状にくり貫かれた形状の穴部２０ｃとから構成されている。また、穴部２０ａは穴部２０ｂに近い側ほど直径が小さく、穴部２０ａと穴部２０ｂの境界には段差が形成されている。
なお、位置決め部６ｃはフィルタホルダ６の水平方向ずれや回転ずれを防ぐことができればＤカット面を有するものに限らず、図９に示すようなＩカット面を有する円筒形状の位置決め部６ｄ等であっても良い。また、穴２０ｃを切り欠き形状として位置決め部６ｃに突起を形成して嵌合させても良い。
【００１５】
ここで、フィルタ保持部６ｂの形状について詳しく説明する。図８に示すように、フィルタ保持部６ｂは直方体の一側面６０から圧入方向に沿って２つの三角柱を切り欠いた形状を有する。切り込みは側面６０の両側から中央に向かってそれぞれ約４５度でなされている。
【００１６】
フィルタ保持部６ｂの切り込みにより形成された傾斜面６１上に上記第１の軸線１Ａと第２の軸線１Ｂの交差点が位置し、もう一つの傾斜面６２上には上記第１の軸線１Ａと第２の軸線１Ｃの交差点が位置する。この面６１及び面６２に光信号を導くため、フィルタ保持部６ｂには第１の軸線１Ａに沿って円筒形状の光通路６３ａ〜６３ｃが形成され、面６１には１４９０ｎｍ帯の光信号を反射する波長合分波フィルタ１１が、面６２には１５５０ｎｍ帯の光信号を反射する波長合分波フィルタ１２がそれぞれ取付けられている。さらに、光通路６３ｃのフィルタ保持部６ｂ外側の側面６６にはファイバフェルール８の端面が当接されている。なお、光送信モジュール３とフィルタ保持部６ｂの側面６５の間の筐体２部分には、光送信モジュール３からの光信号を導くために、第１の軸線１Ａに沿って光通路２ａ（図示しない）が形成されている。
【００１７】
また、フィルタ保持部６ｂには、波長合分波フィルタ１１と第１の光受信モジュール４の間の側面６０に１４９０ｎｍ近傍波長の光のみを透過する波長帯域制限フィルタ３２が取付けられ、波長合分波フィルタ１２と第２の光受信モジュール５の間の側面６４に１５５０ｎｍ近傍波長の光のみを透過する波長帯域制限フィルタ３３が取付けられている。さらに、面６２から面６４にかけて波長合分波フィルタ１２で反射された１５５０ｎｍ帯の光信号を導く光通路６３ｄが第３の軸線１Ｃに沿って形成されている。
【００１８】
光受信モジュール４とフィルタ保持部６ｂの側面６０の間の筐体２部分には、上記光通路２ａと同様に、光送信モジュール４へ光信号を導くために第２の軸線１Ｂに沿って光通路２ｂ（図示しない）が、光受信モジュール５とフィルタ保持部６ｂの面６５の間の筐体２部分には、光送信モジュール５へ光信号を導くために第３の軸線１Ｃに沿って光通路２ｃ（図示しない）がそれぞれ形成されている。
【００１９】
光送信モジュール３から出力された上り方向の１３１０ｎｍ帯の光信号は光通路２ａを通り、集光レンズ７で集光された後、第１の軸線１Ａに沿って光通路６３ａ、波長合分波フィルタ１１、光通路６３ｂ、波長合分波フィルタ１２、光通路６３ｃをそれぞれ通り、ファイバフェルール８の端面に到達する。ファイバフェルール８の端面にて光ファイバ９に取り込まれた光信号はコネクタ１０を介してＯＮＵ外部の光ファイバ網に伝達される。
【００２０】
これとは逆に、外部の光ファイバ網からコネクタ１０を介して光ファイバ９に伝送されてきた下り方向の１４９０ｎｍ帯の光信号及び１５５０ｎｍ帯の光信号は、ファイバフェルール８の端面から光通路６３ｃを通って波長合分波フィルタ１２に入射される。波長が１５５０ｎｍの光信号は波長合分波フィルタ１２で反射され、光通路６３ｄを通って波長帯域制限フィルタ１４を透過し、第２の光受信モジュール５にて受信される。一方、波長が１４９０ｎｍ帯の光信号は波長合分波フィルタ１２を透過して光通路６ｂを通り抜け、波長合分波フィルタ１１で反射された後に波長帯域制限フィルタ１３を透過し、第１の光受信モジュール４にて受信される。
【００２１】
このように、フィルタホルダ６に波長合分波フィルタ１１、１２に加えて光受信モジュール４、５が受信する波長帯近傍の光信号のみを透過させる波長帯域制限フィルタ１３、１４を波長合分波フィルタ１１、１２で反射された光の経路である第２の軸線１Ｂ又は第３の軸線１Ｃ上に設けることにより、クロストークの原因となる異なる波長の光を除去し、所望の波長帯域制限性能を確保して光受信モジュール４、５の受信性能を向上できる。
【００２２】
次に、フィルタホルダ６の筐体２への組み込み方法について説明する。
図７に示すように、フィルタホルダ６の位置決め部６ｃを筐体２に設けた穴部２０ｃのＤカット形状に沿って自然にならう位置で挿入し、位置決め部６ｃが穴部２０ｃの穴底に接触し、水平方向ずれや回転ずれを起こさない状態に嵌合して軸支されたところで圧入部６ａを穴の深さ方向に加圧する。フィルタホルダ６の圧入部６ａは側面の傾斜に沿って穴部６ａを押し広げ、下端部が穴部２０ａと穴部２０ｂの境界の段差に当接したところで筐体２に圧入固定される。
【００２３】
このように、フィルタホルダ６は位置決め部６ｃを筐体２の穴部２０ｃに挿入して嵌合させ、軸支されて水平方向及び回転方向の位置が決定した状態で圧入部６ａを穴部２０ａに圧入固定するため、フィルタホルダ６が傾いた不安定な姿勢で筐体２に固定されることを防ぎ、波長合分波フィルタ１１、１２を筐体２へ容易に精度良く取付けることができる。また、フィルタホルダ６は波長帯域制限フィルタ１３、１４も保持するため、波長合分波フィルタ１１、１２と波長帯域制限フィルタ１３、１４の間の相対角度が一意に定まり、波長帯域制限フィルタ１３、１４も高精度に取付けることができる。
【００２４】
なお、ここでは１個の光送信モジュールと２個の光受信モジュールが実装されているものについて示したが、２個以上の光送信モジュールと３個以上の光受信モジュールを実装したものでも、波長合分波フィルタと波長帯域制限フィルタも適宜増やすことで対応できる。この場合は複数のフィルタホルダ６を連結し、一体物として筐体２に組み込む。
また、ＯＮＵに実装される光送受信モジュール１に限らず、ＯＬＴに実装される光送受信モジュールにおいても、同様の形状を有するフィルタホルダ６を用いることで同じ効果が得られる。
【００２５】
この実施の形態によれば、筐体２に形成された穴２０に嵌合され、波長合分波フィルタ１１、１２を保持するフィルタホルダ６を設け、このフィルタホルダ６は、波長合分波フィルタ１１、１２を保持するフィルタ保持部６ｂを有し、このフィルタ保持部６ｂを挟んでその両端に穴２０の穴部２０ｃに嵌合するＤカットの切り欠き形状を有する位置決め部６ｃと、この位置決め部６ｃが穴部２０ｂに嵌合して軸支された状態で穴部２０ａに圧入固定される圧入部６ａとを有することにより、フィルタホルダ６が傾いて不安定な姿勢で筐体２に固定されることを防ぎ、波長合分波フィルタ１１、１２を筐体２へ容易に精度良く取付けられる光送受信モジュール１を得ることができる。
【００２６】
また、フィルタホルダ６は波長合分波フィルタ１１、１２に加えて、光受信モジュール４、５が受信する波長帯近傍の光信号のみを透過させる波長帯域制限フィルタ１３、１４を、波長合分波フィルタ１１、１２で反射された光の経路である第２の軸線１Ｂ又は第３の軸線１Ｃ上で保持することにより、波長合分波フィルタ１１、１２と波長帯域制限フィルタ１３、１４の間の相対角度を高精度に保つことができ、クロストークの原因となる波長の異なる光を除去し、所望の波長帯域制限性能を確保して光受信モジュール４、５の受信性能を向上できる。
【００２７】
実施の形態２．
本実施の形態に係る光送受信モジュール１について、図１０を用いて説明する。
光送信モジュール１の構成は上記実施の形態１と同じであり、フィルタホルダ６００と穴２００の形状が異なる。本実施の形態に係るフィルタホルダ６００は、図１０に示すように、Ｄカット等の切り欠き形状を有する円筒形の位置決め部６ｆの両端に、位置決め部６ｆに面する側の直径が小さな側面に傾斜を有する円板形状の圧入部６ｅと、圧入部６ｅと中心がほぼ一致する位置に設けられ、波長合分波フィルタ１１、１２を保持するフィルタ保持部６ｆとから構成されている。
【００２８】
筐体２に設けられた穴２００は入口側から順に、圧入部６ｅよりも直径がわずかに小さな筒状の穴部２０ｅと、フィルタホルダ６の位置決め部６ｆと嵌合するようにＤカット状にくり貫かれた形状の穴部２０ｆと、フィルタ保持部６ｂが格納される穴部２０ｅよりも深く、穴部２０ｆよりも直径が小さな円筒形状の穴部２０ｇとから構成されている。また、穴部２０ｅは穴部２０ｆに近い側ほど直径が小さく、穴部２０ｅと穴部２０ｆの境界には段差が形成されている。
【００２９】
なお、実施の形態１と同様に、位置決め部６ｆはフィルタホルダ６００の水平方向ずれや回転ずれを防ぐことができればＤカット面を有するものに限らず、Ｉカット面を有する円筒形状等であっても良いし、穴２０ｆを切り欠き形状として位置決め部６ｆにこの切り欠き形状に嵌合する突起を形成しても良い。
光送受信モジュール１の動作は実施の形態１と同様であるため説明を省略する。
【００３０】
次に、フィルタホルダ６００の筐体２への組み込み方法について説明する。
図１０に示すように、フィルタホルダ６００のフィルタ保持部６ｂ及び位置決め部６ｆを筐体２に設けた穴部２０ｇ、２０ｆに挿入し、位置決め部６ｆが穴部２０ｆに嵌合して軸支され、水平方向ずれや回転ずれを起こさない状態となったところで圧入部６ｅを穴の深さ方向に加圧する。フィルタホルダ６００の圧入部６ｅは側面の傾斜に沿って穴部６ｅを押し広げ、下端部が穴部２０ｅと穴部２０ｆの境界の段差に当接したところで筐体２に固定される。
【００３１】
このように、フィルタホルダ６００はフィルタ保持部６ｂ及び位置決め部６ｆを筐体２の穴部２０ｇ、２０ｆに挿入し、位置決め部６ｆが穴部２０ｆに嵌合して軸支され、水平方向及び回転方向の位置が決定した状態で圧入部６ｅを穴部２０ｅに圧入固定するため、フィルタホルダ６００が傾いた不安定な姿勢で筐体２に固定されることを防ぎ、波長合分波フィルタ１１、１２を筐体２へ容易に精度良く取付けることができる。また、フィルタホルダ６００は波長帯域制限フィルタ１３、１４も保持するため、波長合分波フィルタ１１、１２と波長帯域制限フィルタ１３、１４の間の相対角度が一意に定まり、波長帯域制限フィルタ１３、１４も高精度に取付けることができる。
【００３２】
なお、この実施の形態に係るフィルタホルダ６００も２個以上の光送信モジュールと３個以上の光受信モジュールを実装した光送受信モジュールに適用できる。また、ＯＮＵのみならず、ＯＬＴに実装される光送受信モジュールにも適用できる。
【００３３】
この実施の形態によれば、筐体２はフィルタホルダ６００を収納する穴２００を有し、波長合分波フィルタ１１、１２を保持するフィルタホルダ６００は、穴２０の穴部２０ｆに嵌合するＤカットの切り欠き形状を有する位置決め部６ｆを挟んでその両端に波長合分波フィルタ１１、１２を保持するフィルタ保持部６ｂと、上記位置決め部６ｆが穴部２０ｆに嵌合して軸支された状態で穴部２０ｅに圧入固定される圧入部６ｅとを有することにより、フィルタホルダ６が傾いて不安定な姿勢で筐体２に固定されることを防ぎ、波長合分波フィルタ１１、１２を筐体２へ容易に精度良く取付けられる光送受信モジュール１を容易に得ることができる。
【００３４】
また、フィルタホルダ６００は波長合分波フィルタ１１、１２に加えて、光受信モジュール４、５が受信する波長帯近傍の光信号のみを透過させる波長帯域制限フィルタ１３、１４を、波長合分波フィルタ１１、１２で反射された光の経路である第２の軸線１Ｂ又は第３の軸線１Ｃ上で保持することにより、波長合分波フィルタ１１、１２と波長帯域制限フィルタ１３、１４の間の相対角度を高精度に保つことができ、クロストークの原因となる波長の異なる光を除去し、所望の波長帯域制限性能を確保して光受信モジュール４、５の受信性能を向上できる。
【符号の説明】
【００３５】
１  光送受信モジュール
２  筐体
３  光送信モジュール
４、５  光受信モジュール
６、６００  フィルタホルダ
６ａ、６ｅ  圧入部
６ｂ、  フィルタ保持部
６ｃ、６ｄ、６ｆ  位置決め部
８  ファイバフェルール
９  光ファイバ
２０、２００  穴
１１、１２  波長合分波フィルタ
１３、１４  波長帯域制限フィルタ
１Ａ  第１の軸線
１Ｂ  第２の軸線
１Ｃ  第３の軸線
【図１】
2011112771.tif 000003
【図２】
2011112771.tif 000004
【図３】
2011112771.tif 000005
【図４】
2011112771.tif 000006
【図５】
2011112771.tif 000007
【図６】
2011112771.tif 000008
【図７】
2011112771.tif 000009
【図８】
2011112771.tif 000010
【図９】
2011112771.tif 000011
【図１０】
2011112771.tif 000012